(57)【要約】【課題】ダイレーターをイントロデューサー用シースに組み付けて使用するときに、止血弁やダイレーターの先端部の損傷を抑制しつつ、イントロデューサー用シースの止血弁にダイレーターを容易に挿通可能なイントロデューサー組立体を提供する。【解決手段】イントロデューサー組立体１０は、イントロデューサー用シース１００と、イントロデューサー用シースの内腔１１６に挿入可能なダイレーター２００とを備える。イントロデューサー用シースは、経皮的に生体管腔に導入されるカテーテル本体１１０と、カテーテル本体の基端側に接続されたハブ１２０と、ハブの内腔１２６に配置された止血弁１４０と、を有する。ハブは、Ｓ極１６１およびＮ極１６２の磁極を有し、ダイレーターも、Ｓ極１７１およびＮ極１７２の磁極を有する。そして、ハブの基端側の磁極は、ダイレーターの先端側の磁極と同じである。【選択図】図３
2018050710.tif 000002
【特許請求の範囲】
【請求項１】
経皮的に生体管腔に導入されるカテーテル本体と、前記カテーテル本体の基端側に接続されたハブと、前記ハブの内腔に配置された止血弁と、を有するイントロデューサー用シースと、
前記イントロデューサー用シースの内腔に挿入可能なダイレーターと、を備え、
前記ハブは、Ｓ極およびＮ極の磁極を有し、
前記ダイレーターは、Ｓ極およびＮ極の磁極を有し、
前記ハブの基端側の磁極は、前記ダイレーターの先端側の磁極と同じである、イントロデューサー組立体。
【請求項２】
前記ハブにおける前記止血弁よりも基端側の磁極は、前記ダイレーターの先端側の磁極と同じであり、
前記止血弁は、前記ハブのＳ極とＮ極との間に配置される、請求項１に記載のイントロデューサー組立体。
【請求項３】
前記ハブは、
前記カテーテル本体の基端側に接続されたハブ本体と、
前記ハブ本体との間で前記止血弁を固定しつつ、前記ハブ本体に嵌合するキャップ部材と、を備え、
前記キャップ部材の内腔側の磁極は、前記ダイレーターの先端側の磁極と同じであり、
前記キャップ部材のＳ極とＮ極は、前記キャップ部材の内腔の径方向において、対向する、請求項１に記載のイントロデューサー組立体。
【請求項４】
前記キャップ部材は、複数の磁石を有し、
複数の前記磁石は、前記カテーテル本体の軸方向に垂直な断面において、同じ磁極が対向するように前記キャップ部材に配置される、請求項３に記載のイントロデューサー組立体。
【請求項５】
前記ハブ本体の内腔側の磁極は、前記ダイレーターの先端側の磁極と異なり、
前記ハブ本体のＳ極とＮ極は、前記ハブ本体の内腔の径方向において、対向する、請求項３または請求項４に記載のイントロデューサー組立体。
【請求項６】
前記ハブの内腔側の壁面は、基端側から前記止血弁に向かって縮径する方向に傾斜する、請求項１〜５のいずれか１項に記載のイントロデューサー組立体。
【請求項７】
前記ダイレーターは、
前記カテーテル本体の内腔に挿入可能なダイレーター本体と、
前記ハブと連結可能なダイレーターハブと、を備え、
前記ダイレーターハブよりも先端側の前記ダイレーター本体の磁極は、前記ハブの基端側の磁極と同じであり、前記ダイレーターハブの磁極は、前記ハブの基端側の磁極と異なる、請求項１〜６のいずれか１項に記載のイントロデューサー組立体。
【発明の詳細な説明】
【技術分野】
【０００１】
本発明は、イントロデューサー用シースとダイレーターとを備えるイントロデューサー組立体に関する。
【背景技術】
【０００２】
従来から、カテーテル等を生体管腔内に導入するための器具として、イントロデューサー組立体と称される医療用器具が使用されている（特許文献１を参照。）。イントロデューサー組立体は、イントロデューサー用シースと、イントロデューサー用シースに組み付けて使用されるダイレーターとによって構成されている。イントロデューサー用シースは、経皮的に生体管腔に導入されるカテーテル本体と、カテーテル本体の基端側に接続されたハブと、ハブの内腔に配置された止血弁と、を有する。ダイレーターは、イントロデューサー用シースの内腔に挿入可能に構成される。なお、「基端側」とは、生体内に導入される側を「先端側」と称する場合に、反対側に位置する端部をいう。
【先行技術文献】
【特許文献】
【０００３】
【特許文献１】国際公開第２０１３／００５６０７号
【発明の概要】
【発明が解決しようとする課題】
【０００４】
イントロデューサー組立体においては、ダイレーターをイントロデューサー用シースに組み付けて使用するときに、イントロデューサー用シースの止血弁にダイレーターを容易に挿通できるようにする必要がある。組み付け時に、ダイレーターの先端部によって止血弁を傷つけることを抑制するためである。
【０００５】
そこで、本発明は、ダイレーターをイントロデューサー用シースに組み付けて使用するときに、止血弁やダイレーターの先端部の損傷を抑制しつつ、イントロデューサー用シースの止血弁にダイレーターを容易に挿通可能なイントロデューサー組立体を提供することを目的とする。
【課題を解決するための手段】
【０００６】
本発明に係るイントロデューサー組立体は、イントロデューサー用シースと、前記イントロデューサー用シースの内腔に挿入可能なダイレーターとを備える。イントロデューサー用シースは、経皮的に生体管腔に導入されるカテーテル本体と、前記カテーテル本体の基端側に接続されたハブと、前記ハブの内腔に配置された止血弁と、を有する。前記ハブは、Ｓ極およびＮ極の磁極を有し、前記ダイレーターも、Ｓ極およびＮ極の磁極を有する。そして、前記ハブの基端側の磁極は、前記ダイレーターの先端側の磁極と同じである。
【発明の効果】
【０００７】
ダイレーターをイントロデューサー用シースに組み付けて使用するときに、ハブの基端側の磁極と、ダイレーターの先端側の磁極との間に斥力が生じる。このため、ダイレーターは、同極の磁性の斥力によって、ハブの内腔の中心付近を通るように自然とセンタリングされる。したがって、ダイレーターの先端部が止血弁の挿通部以外の位置を穿刺して止血弁を傷つけることが抑制される。さらに、ダイレーターの先端部がハブの内腔壁面に当たって損傷してしまうことが抑制される。したがって、イントロデューサー組立体は、ダイレーターをイントロデューサー用シースに組み付けて使用するときに、止血弁やダイレーターの先端部の損傷を抑制しつつ、イントロデューサー用シースの止血弁にダイレーターを容易に挿通することができる。
【図面の簡単な説明】
【０００８】
【図１】実施形態に係るイントロデューサー組立体を、ダイレーターをイントロデューサー用シースに組み付けて使用する前の状態において示す図である。
【図２】イントロデューサー用シースの軸方向に沿う断面図である。
【図３】図３（Ａ）（Ｂ）は、ハブの基端側を構成するキャップ、およびダイレーターの先端側を模式的に示す図である。
【図４】図４（Ａ）（Ｂ）は、改変例１における、ハブの基端側を構成するキャップ、およびダイレーターの先端側を模式的に示す図である。
【図５】改変例２における、イントロデューサー用シースの一部、およびダイレーターを模式的に示す図である。
【図６】改変例３における、イントロデューサー用シースの一部、およびダイレーターを模式的に示す図である。
【図７】図７（Ａ）（Ｂ）は、改変例４における、ハブの基端側を構成するキャップ、およびダイレーターの先端側を模式的に示す図である。
【図８】図８（Ａ）（Ｂ）は、改変例５における、磁石、およびハブの基端側をそれぞれ模式的に示す図である。
【図９】図９（Ａ）（Ｂ）は、改変例６における、磁石、およびハブの基端側をそれぞれ模式的に示す図である。
【発明を実施するための形態】
【０００９】
以下、各図を参照して本実施形態に係るイントロデューサー組立体を説明する。
【００１０】
図１、図２は、イントロデューサー組立体１０の各部を説明するための図である。
【００１１】
図２を参照して、本明細書では、イントロデューサー組立体１０のイントロデューサー用シース１００においてハブ１２０が配置される側（図２中の上側）を「基端側」と称する。イントロデューサー用シース１００において基端側とは反対側に位置し、生体内に導入される側（図２中の下側）を「先端側」と称する。また、イントロデューサー用シース１００が延伸する方向（図２中の上下方向）を「軸方向」と称する。また、明細書の説明において「先端部」とは、先端（最先端）およびその周辺を含む一定の範囲を意味し、「基端部」とは、基端（最基端）およびその周辺を含む一定の範囲を意味するものとする。
【００１２】
図１に示すように、本実施形態に係るイントロデューサー組立体１０は、イントロデューサー用シース１００と、イントロデューサー用シース１００の内腔１１６に挿入可能なダイレーター２００と、を有している。
【００１３】
イントロデューサー用シース１００は、血管等の生体管腔内に留置されて、その内部に、例えばカテーテル、ガイドワイヤー等の器具を挿通して、それらを生体管腔内へ導入するために使用される。
【００１４】
イントロデューサー用シース１００は、図２に示すように、経皮的に生体管腔に導入されるカテーテル本体（シースチューブ）１１０と、カテーテル本体１１０の基端側に接続されたハブ（シースハブ）１２０と、ハブ１２０の内腔１２６に配置された止血弁１４０と、を有している。イントロデューサー用シース１００はさらに、ハブ１２０の先端側に支持され、カテーテル本体１１０の基端部１１３を囲むストレインリリーフ部１３０を有している。
【００１５】
カテーテル本体１１０は、略円筒形状の管状部材で形成されている。カテーテル本体１１０は、図２に示すように、テーパー状の先端部１１１と、先端部１１１の基端側に位置する本体部１１５と、本体部１１５の基端側に位置し、ハブ１２０に連結された基端部１１３と、を有している。先端部１１１の先端には先端開口部１１１ａが形成されている。カテーテル本体１１０は、軸方向に延在する中空部（内腔）１１６を備える。カテーテル本体１１０の先端部１１１は、外径が先端側へ向けて先細るテーパー形状を有している。カテーテル本体１１０の基端部１１３は、ハブ１２０の先端部１２１に対して固定されている。なお、カテーテル本体１１０の先端部１１１の内径の形状は、特に限定されない。例えば、図２では、カテーテル本体１１０の先端部１１１は、内径の形状が一定である。
【００１６】
カテーテル本体１１０の構成材料としては、特に制限されず、例えば、ポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミド、エチレン・テトラフルオロエチレン共重合体（ＥＴＦＥ）、テトラフルオロエチレン・ヘキサフルオロプロピレン共重合体（ＦＥＰ）、ポリエーテルエーテルケトン（ＰＥＥＫ）、ポリフッ化ビニリデン（ＰＶＤＦ）などの高分子材料またはこれらの混合物などを用いることができる。
【００１７】
カテーテル本体１１０の外表面および／または内表面には、潤滑性を備えるコーティング層を形成することが可能である。コーティング層を形成する材料としては、親水性や疎水性を備える従来公知のコーティング材を用いることが可能である。
【００１８】
図２に示すように、ハブ１２０は、カテーテル本体１１０の基端部１１３が固定されるハブ本体１２７と、ハブ本体１２７の基端部１２３に取り付けられるキャップ１２８と、を有している。ハブ本体１２７は、カテーテル本体１１０の中空部１１６に連通する内腔１２６ａが形成されている。キャップ１２８は、内腔１２６ａに連通可能な内腔１２６ｂが形成されている。ハブ本体１２７には、内腔１２６ａに連通するサイドポート１２４が設けられている。なお、ハブ本体１２７の内腔１２６ａおよびキャップ１２８の内腔１２６ｂを総称して、ハブ１２０の内腔１２６とも称する。
【００１９】
ハブ１２０の内腔１２６側の壁面（図示する実施形態にあっては、キャップ１２８の内腔１２６ｂ側の壁面）は、基端側から止血弁１４０に向かって縮径する方向に傾斜する。キャップ１２８の内腔１２６ｂ側の壁面を上記のように傾斜させることによって、ダイレーター２００をイントロデューサー用シース１００に組み付けて使用するときに、ダイレーター２００の先端部２１１を止血弁１４０の中央に向かうようにガイドすることができる。
【００２０】
サイドポート１２４には、可撓性を有するチューブ１５１（図１を参照）の一端が液密に接続される。チューブ１５１の他端は、例えば三方活栓１５０が装着される。この三方活栓１５０のポートからチューブ１５１を介してカテーテル本体１１０の中空部１１６内に、例えば生理食塩水のような液体を注入することが可能となっている。チューブ１５１は、例えば、ポリ塩化ビニル製の公知のチューブで構成することができる。
【００２１】
ハブ１２０（ハブ本体１２７およびキャップ１２８）の構成材料としては、特に限定されないが、硬質樹脂のような硬質材料が好適である。硬質樹脂の具体例としては、例えば、ポリエチレン、ポリプロピレン等のポリオレフィン、ポリアミド、ポリカーボネート、ポリスチレン等が挙げられる。ハブ本体１２７の構成材料と、キャップ１２８の構成材料とは、同じ材料でもよいし、異なる材料でもよい。
【００２２】
止血弁１４０は、ハブ１２０の内腔１２６に配置されている。図示する実施形態にあっては、止血弁１４０を、キャップ１２８の内腔１２６ｂ側の壁面に形成したリング溝１２８ａに取り付けている。止血弁１４０は、カテーテル本体１１０内に流れ込んだ血液等の液体が外部へ漏洩するのを防止する。
【００２３】
止血弁１４０は、ダイレーター本体２１０の挿通を可能にする挿通部１４１が形成された弾性部材により構成している。例えば、止血弁１４０は、挿通部１４１を構成するスリットにより構成されてよい。また、止血弁１４０は、先端面にのみ到達する先端側スリットと、基端面にのみ到達する基端側スリットと、先端側スリットと基端側スリットとを交差させ、互いに重なる位置でスリット同士の一部を連通させることによって形成される挿通部１４１とにより構成されてもよい。止血弁１４０は、略楕円形の膜状（円盤状）に形成されており、リング溝１２８ａに対して液密に固定している。止血弁１４０は、挿通部１４１がキャップ１２８の内腔１２６ｂの中心に位置するように、キャップ１２８に取り付けられる。
【００２４】
止血弁１４０の構成材料としては、特に限定されないが、例えば、弾性部材であるシリコーンゴム、ラテックスゴム、ブチルゴム、イソプレンゴム等が挙げられる。
【００２５】
カテーテル本体１１０の基端部１１３は、ハブ本体１２７の連結部１２５ａに固定されている。カテーテル本体１１０の基端部１１３とハブ本体１２７の連結部１２５ａとは、例えば、接着剤により固定することができる。
【００２６】
図２に示すように、ストレインリリーフ部１３０は、カテーテル本体１１０およびハブ本体１２７に対して外嵌されている。ストレインリリーフ部１３０の先端部１３１は、カテーテル本体１１０の基端側の一定の範囲を囲むように配置されている。また、ストレインリリーフ部１３０の基端部１３３は、ハブ本体１２７の先端側の一定の範囲を囲むように配置されており、カテーテル本体１１０とハブ本体１２７とが連結された連結部１２５ａを覆っている。
【００２７】
ストレインリリーフ部１３０の構成材料としては、特に限定されないが、例えば、天然ゴム、シリコーン樹脂等が挙げられる。
【００２８】
図１に示すように、ダイレーター２００は、カテーテル本体１１０に挿通可能な管状体により構成されたダイレーター本体２１０と、ハブ１２０と接続可能に構成されたダイレーターハブ２２０と、を有している。
【００２９】
ダイレーター２００は、イントロデューサー用シース１００のカテーテル本体１１０を生体管腔内に挿入するときに、カテーテル本体１１０の折れを防いだり、皮膚の穿孔を広げたりするために用いられる。
【００３０】
ダイレーター本体２１０は、カテーテル本体１１０に挿通されると、その先端部２１１がカテーテル本体１１０の先端開口部１１１ａから突出した状態となる。ダイレーター本体２１０の先端部２１１は、先端側へ向けて先細るテーパー形状に形成している。
【００３１】
ダイレーター本体２１０を構成する材料は、特に制限されず、ダイレーター本体２１０として従来使用されるのと同様の材料を使用できる。具体的には、ポリプロピレン（ＰＰ）、ポリエチレン（ＰＥ）等のポリオレフィン、ナイロン、ポリエチレンテレフタレート（ＰＥＴ）等のポリエステル、ポリフッ化ビニリデン（ＰＶＤＦ）、テトラフルオロエチレン・ヘキサフルオロプロピレン共重合体（ＦＥＰ）等のフッ素系ポリマーなどが挙げられる。これらのうち、フッ素系ポリマーが好ましく、ポリフッ化ビニリデン（ＰＶＤＦ）と同等以上の硬度を有する材料が好ましい。
【００３２】
ダイレーターハブ２２０の構成材料としては、特に限定されないが、硬質樹脂のような硬質材料が好適である。硬質樹脂の具体例としては、例えば、ポリエチレン、ポリプロピレン等のポリオレフィン、ポリアミド、ポリカーボネート、ポリスチレン等が挙げられる。
【００３３】
次に、イントロデューサー用シース１００およびダイレーター２００の磁極について説明する。
【００３４】
本実施形態のイントロデューサー組立体１０にあっては、イントロデューサー用シース１００のハブ１２０は、Ｓ極１６１およびＮ極１６２の磁極を有し、ダイレーター２００は、Ｓ極１７１およびＮ極１７２の磁極を有している。そして、ハブ１２０の基端側の磁極は、ダイレーター２００の先端側の磁極と同じである。
【００３５】
図３（Ａ）（Ｂ）は、ハブ１２０の基端側を構成するキャップ１２８、およびダイレーター２００の先端側を模式的に示す図である。
【００３６】
ハブ１２０は、当該ハブ１２０の材料に磁性体を混合して着磁することによって、磁極（Ｓ極１６１およびＮ極１６２）を持つようにしている。同様に、ダイレーター２００は、当該ダイレーター２００の材料に磁性体を混合して着磁することによって、磁極（Ｓ極１７１およびＮ極１７２）を持つようにしている。この場合において、ハブ１２０における止血弁１４０よりも基端側の磁極（Ｎ極１６２）は、ダイレーター２００の先端側の磁極（Ｎ極１７２）と同じである。止血弁１４０は、ハブ１２０のＳ極１６１とＮ極１６２との間に配置されている。このように配置することによって、ハブ１２０には、基端側から止血弁１４０まで、ダイレーター２００の先端部２１１の磁極と同じ磁極の領域が設けられることになる。また、止血弁１４０の先端側および基端側に異なる磁極が設けられることとなる。なお、止血弁１４０は、ハブ１２０のＳ極１６１とＮ極１６２との境界部（磁壁）の位置を含むように配置されていることが好ましい。止血弁１４０を境界部（磁壁）よりも基端側に寄せて配置することもできるが、境界部（磁壁）の位置を含むように配置することによって、止血弁１４０にダイレーター２００を挿通した直後に磁性の引力をダイレーター２００の先端部２１１に作用させることができるからである。
【００３７】
図示する実施形態にあっては、ハブ１２０におけるキャップ１２８が磁極（Ｓ極１６１およびＮ極１６２）を持つようにしてある。キャップ１２８は、磁化方向を軸方向（キャップ１２８の高さ方向）にして着磁され、基端側をＮ極１６２とし、先端側をＳ極１６１とする筒形状を有する。止血弁１４０は、キャップ１２８のＳ極１６１とＮ極１６２との境界部（磁壁）の位置に形成したリング溝１２８ａに配置されている。
【００３８】
ハブ１２０（ハブ本体１２７やキャップ１２８）の材料に磁性体を混合して着磁することは、ハブ１２０（ハブ本体１２７やキャップ１２８）を容易に成形することができる点において好ましい。
【００３９】
成形方法は特に限定されないが、ハブ１２０（ハブ本体１２７やキャップ１２８）を構成する樹脂材料と磁性材料との混合物を溶融して射出成形する際に磁界を加えて磁性材料を一定方向に配向させる方法等を用いることができる。着磁には、着磁ヨークと着磁電源装置とを有する公知の着磁装置を使用する。着磁は、例えば、管状物や柱状物・線状物については、その半径方向の中側と外側とで磁極が異なるように着磁することができ（ラジアル着磁）。また、板状物・面状物については、その一方の面と他方の面で磁極が異なるように着磁することができる。
【００４０】
磁性材料は特に限定されないが、白金コバルト系磁石合金、サマリウムコバルト系磁石合金、鉄クロムコバルト系磁石合金、ネオジウム鉄ボロン系磁石合金、ストロンチウムフェライト磁石合金等の金属粉が例示される。
【００４１】
本実施形態の作用を説明する。
【００４２】
図３（Ａ）に示すように、ダイレーター２００をイントロデューサー用シース１００に組み付けて使用するときに、キャップ１２８の内腔１２６ｂ側の磁極（Ｎ極１６２）と、ダイレーター２００の先端側の磁極（Ｎ極１７２）との間に斥力Ｆｒが生じる。止血弁１４０は、挿通部１４１がキャップ１２８の内腔１２６ｂの中心に位置するように、キャップ１２８に取り付けられている。このため、キャップ１２８の内腔１２６ｂにダイレーター２００を挿入するとき、ダイレーター２００は、同極（Ｎ極１６２、１７２同士）の磁性の斥力Ｆｒによって、キャップ１２８の内腔１２６ｂの中心付近を通るように自然とセンタリングされる。したがって、ダイレーター２００の先端部２１１が止血弁１４０の挿通部１４１以外の位置を穿刺して止血弁１４０を傷つけることが抑制される。さらに、ダイレーター２００は、ダイレーター２００をイントロデューサー用シース１００に組み付けて使用するときに、ダイレーター２００の先端部２１１がキャップ１２８の内腔１２６ｂの中心付近を通るようにセンタリングされるため、カテーテル本体１１０の軸方向に沿って挿入される。そのため、ダイレーター２００の先端部２１１がキャップ１２８の壁面に当たって損傷してしまうことが抑制される。
【００４３】
図３（Ｂ）に示すように、止血弁１４０にダイレーター２００の先端部２１１を挿通した後は、反対の極（Ｓ極１６１とＮ極１７２）の磁性の引力Ｆａによって、ダイレーター２００がキャップ１２８の内腔１２６ｂからハブ本体１２７の内腔１２６ａへと吸い込まれていく。
【００４４】
したがって、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。
【００４５】
キャップ１２８の内腔１２６ｂ側の壁面は、基端側から止血弁１４０に向かって縮径する方向に傾斜している。このため、ダイレーター２００を挿入するときには、ダイレーター２００の先端に向かうにしたがって、キャップ１２８とダイレーター２００との間の距離が短くなる。したがって、ダイレーター２００を挿入するときには、先端に向かうにしたがって、キャップ１２８の磁極とダイレーター２００の磁極との間に働く斥力Ｆｒが強くなる。その結果、より好適にダイレーター２００をセンタリングできる。しかも、キャップ１２８の内腔１２６ｂが縮径しているため、磁性の斥力Ｆｒによるセンタリング機能に加えて、ダイレーター２００の先端部２１１を止血弁１４０の中央に向かうように物理的にガイドすることができる。したがって、イントロデューサー用シース１００の止血弁１４０にダイレーター２００をより一層容易に挿通することができる。
【００４６】
なお、イントロデューサー組立体１０は、ハブ１２０の内腔１２６の中心軸線にダイレーター２００の中心軸線を一致させるセンタリング機能を発揮すればよく、キャップ１２８の内腔１２６ｂの全周にわたって磁性を有する形態のほか、磁性を有する部分を点在および／または局在させて斥力Ｆｒを生じさせる形態でもよい。
【００４７】
さらに、磁性を有する部分が表面に露出している必要はなく、斥力Ｆｒ／引力Ｆａを働かせることができる限りにおいて、ハブ１２０の内腔１２６表面やダイレーター２００の表面を他の材料によって被覆することができる。
【００４８】
磁性の強さは、特に限定されるものではなく、斥力Ｆｒによるセンタリング機能を発揮させたり、引力Ｆａによる吸着機能を発揮させたりする観点から、所望の強さを設定することができる。
【００４９】
以上説明したように、実施形態のイントロデューサー組立体１０は、ハブ１２０がＳ極１６１およびＮ極１６２の磁極を有し、ダイレーター２００がＳ極１７１およびＮ極１７２の磁極を有している。そして、ハブ１２０の基端側の磁極（Ｎ極１６２）は、ダイレーター２００の先端側の磁極（Ｎ極１７２）と同じである。
【００５０】
このように構成することによって、ダイレーター２００は、同極の磁性の斥力Ｆｒによって、ハブ１２０の内腔１２６の中心付近を通るように自然とセンタリングされる。したがって、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。
【００５１】
ハブ１２０における止血弁１４０よりも基端側の磁極は、ダイレーター２００の先端側の磁極と同じである。さらに、止血弁１４０は、ハブ１２０のＳ極１６１とＮ極１６２との間に配置されている。
【００５２】
前段のように構成することによって、ハブ１２０には、基端側から止血弁１４０まで、ダイレーター２００の先端部２１１の磁極と同じ磁極の領域が設けられることになる。したがって、止血弁１４０の挿通部１４１へのセンタリング効果をより適切に発揮させることができる。さらに、後段のように構成することによって、止血弁１４０の先端側および基端側に異なる磁極が設けられることとなる。したがって、ダイレーター２００の先端部２１１の磁極と止血弁１４０の周囲の磁極との位置関係を調整し、止血弁１４０を挿通する際の操作性を向上させることができる。
【００５３】
止血弁１４０は、ハブ１２０のＳ極１６１とＮ極１６２との境界部（磁壁）の位置を含むように配置されている。
【００５４】
このように構成することによって、止血弁１４０にダイレーター２００を挿通した直後に磁性の引力Ｆａをダイレーター２００の先端部２１１に作用させることができ、止血弁１４０を挿通する際の操作性をさらに向上させることができる。
【００５５】
なお、ハブ１２０は、ハブ１２０自体に磁極を持たせるように、ハブ１２０の材料に磁性体を混合した混合物を着磁することによって形成される。
【００５６】
このように構成することによって、ハブ１２０を容易に成形することができる。
【００５７】
ハブ１２０の内腔１２６側の壁面は、基端側から止血弁１４０に向かって縮径する方向に傾斜している。
【００５８】
このように構成することによって、ダイレーター２００を挿入するときには、ダイレーター２００の先端に向かうにしたがって、キャップ１２８とダイレーター２００との間の距離が短くなり、先端に向かうにしたがって、キャップ１２８の磁極とダイレーター２００の磁極との間に働く斥力Ｆｒが強くなる。その結果、より好適にダイレーター２００をセンタリングできる。しかも、磁性の斥力Ｆｒによるセンタリング機能に加えて、ダイレーター２００の先端部２１１を止血弁１４０の中央に向かうように物理的にガイドすることができる。したがって、イントロデューサー用シース１００の止血弁１４０にダイレーター２００をより一層容易に挿通することができる。
【００５９】
（改変例１）
図４（Ａ）（Ｂ）は、改変例１における、ハブ１２０の基端側を構成するキャップ１２８、およびダイレーター２００の先端側を模式的に示す図である。
【００６０】
改変例１は、磁極の配置を反転した点において、図３（Ａ）（Ｂ）に示した実施形態と相違する。
【００６１】
図３（Ａ）（Ｂ）に示した実施形態と同様に、ハブ１２０およびダイレーター２００は、磁極（Ｓ極１６１、１７１およびＮ極１６２、１７２）を持つ。しかしながら、改変例１のキャップ１２８は、基端側をＳ極１６１とし、先端側をＮ極１６２とする筒形状を有する。そして、止血弁１４０よりも基端側の磁極（Ｓ極１６１）は、ダイレーター２００の先端側の磁極（Ｓ極１７１）と同じである。
【００６２】
改変例１においても、図４（Ａ）に示すように、ダイレーター２００をイントロデューサー用シース１００に組み付けて使用するときに、キャップ１２８の内腔１２６ｂ側の磁極（Ｓ極１６１）と、ダイレーター２００の先端側の磁極（Ｓ極１７１）との間に斥力Ｆｒが生じる。キャップ１２８の内腔１２６ｂにダイレーター２００を挿入するとき、ダイレーター２００は、同極（Ｓ極１６１、１７１同士）の磁性の斥力Ｆｒによって、キャップ１２８の内腔１２６ｂの中心付近を通るように自然とセンタリングされる。
【００６３】
図４（Ｂ）に示すように、止血弁１４０にダイレーター２００の先端部２１１を挿通した後は、反対の極（Ｎ極１６２とＳ極１７１）の磁性の引力Ｆａによって、ダイレーター２００がキャップ１２８の内腔１２６ｂからハブ本体１２７の内腔１２６ａへと吸い込まれていく。
【００６４】
したがって、上述した実施形態と同様に、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。
【００６５】
（改変例２）
図５は、改変例２における、イントロデューサー用シース１００の一部、およびダイレーター２００を模式的に示す図である。
【００６６】
改変例２は、キャップ１２８のみならず、ハブ本体１２７にも磁極（Ｓ極１６１およびＮ極１６２）を持たせるようにした点において、図３（Ａ）（Ｂ）に示した実施形態と相違する。
【００６７】
図３（Ａ）（Ｂ）に示した実施形態と同様に、ハブ１２０におけるキャップ１２８およびダイレーター２００は、磁極（Ｓ極１６１、１７１およびＮ極１６２、１７２）を持つ。さらに、改変例２にあっては、ハブ１２０におけるハブ本体１２７も、磁極（Ｓ極１６１およびＮ極１６２）を持つ。ハブ本体１２７は、キャップ１２８よりも先端側をＮ極１６２とし、さらに先端側をＳ極１６１としている。ハブ１２０全体を見て、基端側から先端側に向かって、Ｎ極１６２、Ｓ極１６１、Ｎ極１６２、Ｓ極１６１が交互に配列されたパターンを有する。そして、止血弁１４０よりも基端側の磁極（Ｎ極１６２）は、ダイレーター２００の先端側の磁極（Ｎ極１７２）と同じである。
【００６８】
改変例２においても、ダイレーター２００をイントロデューサー用シース１００に組み付けて使用するときに、キャップ１２８の内腔１２６ｂ側の磁極（Ｎ極１６２）と、ダイレーター２００の先端側の磁極（Ｎ極１７２）との間に斥力Ｆｒが生じる。キャップ１２８の内腔１２６ｂにダイレーター２００を挿入するとき、ダイレーター２００は、同極（Ｎ極１６２、１７２同士）の磁性の斥力Ｆｒによって、キャップ１２８の内腔１２６ｂの中心付近を通るように自然とセンタリングされる。
【００６９】
止血弁１４０にダイレーター２００の先端部２１１を挿通した後は、反対の極（Ｎ極１７２とＳ極１６１）の磁性の引力Ｆａによって、ダイレーター２００がキャップ１２８の内腔１２６ｂからハブ本体１２７の内腔１２６ａへと順々に吸い込まれていく。ダイレーター２００は、同極（Ｎ極１６２、１７２同士）の磁性の斥力Ｆｒによって、センタリングされながら送り込まれる。ダイレーター２００は、ハブ本体１２７の連結部１２５ａに固定されたカテーテル本体１１０の基端部１１３に引っ掛かることなく、カテーテル本体１１０の中空部１１６内に挿入される。
【００７０】
したがって、上述した実施形態と同様に、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。加えて、カテーテル本体１１０の中空部１１６内に、ダイレーター２００をスムーズに挿入することができる。
【００７１】
（改変例３）
図６は、改変例３における、イントロデューサー用シース１００の一部、およびダイレーター２００を模式的に示す図である。
【００７２】
改変例３は、ダイレーター２００の先端部分だけではなく、ダイレーター２００の全体に磁極（Ｓ極１７１およびＮ極１７２）を持たせるようにした点において、図３（Ａ）（Ｂ）に示した実施形態と相違する。
【００７３】
図３（Ａ）（Ｂ）に示した実施形態と同様に、ハブ１２０におけるキャップ１２８は、磁極（Ｓ極１６１およびＮ極１６２）を持ち、基端側をＮ極１６２とし、先端側をＳ極１６１としている。改変例３にあっては、ダイレーター本体２１０を全長にわたってＮ極１７２とし、ダイレーターハブ２２０をＳ極１７１としている。このように、ダイレーターハブ２２０よりも先端側のダイレーター本体２１０の磁極（Ｎ極１７２）は、ハブ１２０の基端側の磁極（Ｎ極１６２）と同じであり、ダイレーターハブ２２０の磁極（Ｓ極１７１）は、ハブ１２０の基端側の磁極（Ｎ極１６２）と異なる。そして、止血弁１４０よりも基端側の磁極（Ｎ極１６２）は、ダイレーター本体２１０の磁極（Ｎ極１７２）と同じである。
【００７４】
改変例３においても、ダイレーター２００をイントロデューサー用シース１００に組み付けて使用するときに、キャップ１２８の内腔１２６ｂ側の磁極（Ｎ極１６２）と、ダイレーター本体２１０の磁極（Ｎ極１７２）との間に斥力Ｆｒが生じる。キャップ１２８の内腔１２６ｂにダイレーター２００を挿入するとき、ダイレーター２００は、同極（Ｎ極１６２、１７２同士）の磁性の斥力Ｆｒによって、キャップ１２８の内腔１２６ｂの中心付近を通るように自然とセンタリングされる。
【００７５】
止血弁１４０にダイレーター本体２１０を挿通した後は、反対の極（Ｎ極１７２とＳ極１６１）の磁性の引力Ｆａによって、ダイレーター２００がキャップ１２８の内腔１２６ｂからハブ本体１２７の内腔１２６ａへと吸い込まれていく。ダイレーター２００は、センタリングされながら送り込まれる。
【００７６】
したがって、上述した実施形態と同様に、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。しかも、ダイレーターハブ２２０の磁極（Ｓ極１７１）とハブ１２０の基端側の磁極（Ｎ極１６２）とが異なることから、ダイレーターハブ２２０とハブ１２０とを、反対の極（Ｎ極１６２とＳ極１７１）の磁性の引力Ｆａによって連結することができる。
【００７７】
なお、ダイレーターハブ２２０とハブ１２０との連結は、磁力単体による連結でもよいし、一般的に行われているダイレーターハブ２２０とハブ１２０との機械的な嵌合とともに行ってもよい。磁性の強さは、ダイレーターハブ２２０とハブ１２０との引力Ｆａによる連結機能を発揮させる観点から、所望の強さを設定することができる。
【００７８】
以上説明したように、改変例３においては、ダイレーターハブ２２０よりも先端側のダイレーター本体２１０の磁極は、ハブ１２０の基端側の磁極と同じであり、ダイレーターハブ２２０の磁極は、ハブ１２０の基端側の磁極と異なっている。
【００７９】
このように構成することによって、イントロデューサー組立体１０は、止血弁１４０やダイレーター２００の先端部２１１の損傷を抑制しつつ、イントロデューサー用シース１００の止血弁１４０にダイレーター２００を容易に挿通することができる。しかも、ダイレーターハブ２２０とハブ１２０とを、反対の極の磁性の引力Ｆａによって連結することができる。
【００８０】
（改変例４）
図７（Ａ）（Ｂ）は、改変例４における、ハブ１２０の基端側を構成するキャップ１２８、およびダイレーター２００の先端側を模式的に示す図である。
【００８１】
改変例４は、磁石１８１を用いて磁極を持たせた点において、着磁によって磁極を持たせた図３（Ａ）（Ｂ）に示した実施形態と相違する。さらに、改変例３と同様に、ダイレーター２００の先端部分だけではなく、ダイレーター２００の全体に磁極（Ｓ極１７１およびＮ極１７２）を持たせるようにした点においても、図３（Ａ）（Ｂ）に示した実施形態と相違する。
【００８２】
図７（Ａ）（Ｂ）に示すように、改変例４のキャップ１２８は、貫通孔１２８ｃが形成されたキャップ本体１２８ｂと、貫通孔１２８ｃの内面に配置された磁石１８１を有する。磁石１８１は、基端側をＮ極１６２とし、先端側をＳ極１６１とする筒形状を有する。止血弁１４０は、磁石１８１のＳ極１６１とＮ極１６２との間に配置されている。なお、止血弁１４０は、キャップ本体１２８ｂのＳ極１６１とＮ極１６２との境界部（磁壁）の位置を含むように配置されていることが好ましい。磁石１８１は、貫通孔１２８ｃの内面に配置するほか、キャップ本体１２８ｂに埋め込んでもよい。磁石１８１を貫通孔１２８ｃの表面に配置する場合には、磁石１８１の内周面がキャップ１２８の内腔１２６ｂを構成することとなる。
【００８３】
改変例３と同様に、ダイレーター本体２１０を全長にわたってＮ極１７２とし、ダイレーターハブ２２０をＳ極１７１としている。このように、ダイレーターハブ２２０よりも先端側のダイレーター本体２１０の磁極（Ｎ極１７２）は、ハブ１２０の基端側の磁極（Ｎ極１６２）と同じであり、ダイレーターハブ２２０の磁極（Ｓ極１７１）は、ハブ１２０の基端側の磁極（Ｎ極１６２）と異なる。そして、止血弁１４０よりも基端側の磁極（Ｎ極１６２）は、ダイレーター本体２１０の磁極（Ｎ極１７２）と同じである。
【００８４】
改変例４においても、図７（Ａ）に示すように、ダイレーター２００をイントロデューサー用シース１００に組み付けて使用するときに、キャップ１２８の内腔１２６ｂ側の磁極（Ｎ極１６２）と、ダイレーター本体２１０の磁極（Ｎ極１７２）との間に斥力Ｆｒが生じる。キャップ１２８の内腔１２６ｂにダイレーター２００を挿入するとき、ダイレーター２００は、同極（Ｎ極１６２、１７２同士）の磁性の斥力Ｆｒによって、キャップ１２８の内腔１２６ｂの中心付近を通るように自然とセンタリングされる。
【００８５】
図７（Ｂ）に示すように、止血弁１４０にダイレーター本体２１０を挿通した後は、反対の極（Ｎ極１７２とＳ極１６１）の磁性の引力Ｆａによって、ダイレーター２００がキャップ１２８の内腔１２６ｂからハブ本体１２７の内腔１２６ａへと吸い込まれていく。ダイレーター２００は、センタリングされながら送り込まれる。
【００８６】
したがって、上述した実施形態と同様に、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。しかも、ダイレーターハブ２２０の磁極（Ｓ極１７１）とハブ１２０の基端側の磁極（Ｎ極１６２）とが異なることから、ダイレーターハブ２２０とハブ１２０とを、反対の極（Ｎ極１６２とＳ極１７１）の磁性の引力Ｆａによって連結することができる。
【００８７】
なお、ダイレーターハブ２２０とハブ１２０との連結は、磁力単体による連結でもよいし、一般的に行われているダイレーターハブ２２０とハブ１２０との機械的な嵌合とともに行ってもよい。
【００８８】
イントロデューサー組立体１０は、磁石１８１を用いる場合においても、着磁の場合と同様に、ハブ１２０の内腔１２６に対してダイレーター２００をセンタリングする機能を発揮すればよく、キャップ１２８の内腔１２６ｂの全周にわたって磁石１８１を配置する形態のほか、磁石１８１を設ける部分を点在および／または局在させて斥力Ｆｒを生じさせる形態でもよい。
【００８９】
さらに、磁石１８１が表面に露出している必要はなく、斥力Ｆｒ／引力Ｆａを働かせることができる限りにおいて、磁石１８１の表面を他の材料によって被覆することができる
磁性の強さは、特に限定されるものではなく、センタリング機能を発揮させたり、連結したりする観点から、所望の強さを設定することができる。
【００９０】
図示省略するが、磁極のパターンは、改変例４と反転させてもよい。つまり、ダイレーター本体２１０を全長にわたってＳ極１７１とし、ダイレーターハブ２２０をＮ極１７２とする。磁石１８１は、基端側をＳ極１６１とし、先端側をＮ極１６２とする筒形状を有するようにする。
【００９１】
以上説明したように、磁石１８１を用いる改変例４にあっても、着磁を適用した実施形態と同様に、イントロデューサー組立体１０は、ハブ１２０がＳ極１６１およびＮ極１６２の磁極を有している。ダイレーター２００は、着磁によって、Ｓ極１７１およびＮ極１７２の磁極を有している。そして、ハブ１２０の基端側の磁極（Ｎ極１６２）は、ダイレーター２００の先端側の磁極（Ｎ極１７２）と同じである。
【００９２】
このように構成することによって、ダイレーター２００は、同極の磁性の斥力Ｆｒによって、ハブ１２０の内腔１２６の中心付近を通るように自然とセンタリングされる。したがって、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。
【００９３】
（改変例５）
図８（Ａ）（Ｂ）は、改変例５における、磁石１８２、およびハブ１２０の基端側をそれぞれ模式的に示す図である。
【００９４】
改変例５は、改変例４と同様に磁石１８２を用いて磁極を持たせてあるが、磁石１８２の形状の点において、改変例４と相違する。また、止血弁１４０の保持構造の点においても相違する。
【００９５】
図８（Ａ）に示すように、改変例５の磁石１８２は、磁化方向を径方向にして着磁され、半径方向の内方側と外方側とにおいて磁極が異なるセグメント型（Ｃ型）の磁石１８２である。内方側がＳ極１６１、外方側がＮ極１６２である。この磁石１８２を周方向に２個以上（図示例では４個）組み合わせて配列し、内周面側が全周にわたって同一の磁極（Ｓ極１６１）を備える空間とした磁石アセンブリ１８３としてある。なお、磁石アセンブリ１８３は、セグメント型（Ｃ型）の磁石１８２が全周にわたって設けられていなくてもよい。磁石アセンブリ１８３は、複数の磁石１８２が、カテーテル本体１１０の軸方向に垂直な断面において、同じ磁極が対向するようにキャップ部材１２８ｄに配置されていればよい。
【００９６】
この磁石アセンブリ１８３によれば、キャップ部材１２８ｄに止血弁１４０を配置する必要はない。図８（Ｂ）に示すように、磁石アセンブリ１８３をキャップ部材１２８ｄに配置あるいは埋め込み、キャップ部材１２８ｄとハブ本体１２７との間に止血弁１４０を挟み込むようにして固定することができる。
【００９７】
さらに、ハブ本体１２７には、止血弁１４０の先端側に位置して、内周面側が全周にわたって同一の磁極（Ｎ極１６２）を備える空間とした磁石アセンブリ１８５を配置あるいは埋め込んでいる。磁石アセンブリ１８５は、磁石１８２の磁極を反転し、内方側がＮ極１６２、外方側がＳ極１６１であるセグメント型（Ｃ型）の磁石１８４を周方向に２個以上組み合わせて配列して構成されている。なお、磁石アセンブリ１８５は、磁石アセンブリ１８３と同様に、セグメント型（Ｃ型）の磁石１８４が全周にわたって設けられていなくてもよい。磁石アセンブリ１８５は、複数の磁石１８４が、カテーテル本体１１０の軸方向に垂直な断面において、同じ磁極が対向するようにハブ本体１２７に配置されていればよい。
【００９８】
改変例１と同様に、キャップ部材１２８ｄの内腔１２６ｂ側の磁極をＳ極１６１としてあるので、図示しないダイレーター２００の少なくとも先端側をＳ極１７１とする。
【００９９】
改変例５においても、ダイレーター２００をイントロデューサー用シース１００に組み付けて使用するときに、キャップ部材１２８ｄの内腔１２６ｂ側の磁極（Ｓ極１６１）と、ダイレーター２００の先端側の磁極（Ｓ極１７１）との間に斥力Ｆｒが生じる。キャップ部材１２８ｄの内腔１２６ｂにダイレーター２００を挿入するとき、ダイレーター２００は、同極（Ｓ極１６１、１７１同士）の磁性の斥力Ｆｒによって、キャップ部材１２８ｄの内腔１２６ｂの中心付近を通るように自然とセンタリングされる。
【０１００】
止血弁１４０にダイレーター本体２１０を挿通した後は、反対の極（Ｓ極１７１とＮ極１６２）の磁性の引力Ｆａによって、ダイレーター２００がキャップ部材１２８ｄの内腔１２６ｂからハブ本体１２７の内腔１２６ａへと吸い込まれていく。ダイレーター２００は、センタリングされながら送り込まれる。
【０１０１】
したがって、上述した実施形態と同様に、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。
【０１０２】
以上説明したように、改変例５にあっては、ハブ１２０は、ハブ本体１２７と、ハブ本体１２７との間で止血弁１４０を固定しつつハブ本体１２７に嵌合するキャップ部材１２８ｄと、を備える。キャップ部材１２８ｄの内腔１２６ｂ側の磁極は、ダイレーター２００の先端側の磁極と同じである。キャップ部材１２８ｄのＳ極１６１とＮ極１６２は、キャップ部材１２８ｄの内腔１２６ｂの径方向において、対向する。
【０１０３】
このように構成することによって、キャップ部材１２８ｄとハブ本体１２７との間に止血弁１４０を挟むため、簡単な構成によって、止血弁１４０の先端側および基端側の磁極を調整しやすくなる。また、キャップ部材１２８ｄの内腔１２６ｂ側の磁性を調整することによって、ハブ本体１２７との間に固定された止血弁１４０までダイレーター２００の先端部２１１の磁極と同じ磁極の領域を設け、止血弁１４０の挿通部１４１へのセンタリング効果をより適切に発揮させることができる。さらに、内腔１２６ｂの径方向に対応するようにＳ極１６１およびＮ極１６２を設けることによって、キャップ部材１２８ｄの内腔１２６ｂの磁極を調整しやすくなる。
【０１０４】
また、改変例５にあっては、キャップ部材１２８ｄは、複数の磁石１８２を有している。複数の磁石１８２は、カテーテル本体１１０の軸方向に垂直な断面において、同じ磁極が対向するようにキャップ部材１２８ｄに配置されている。
【０１０５】
このような構成によれば、複数の磁石１８２を配置することによって、簡単に磁極の位置関係を調整して、上述した所定の効果を得ることが可能となる。
【０１０６】
さらに、改変例５にあっては、ハブ本体１２７の内腔１２６ａ側の磁極は、ダイレーター２００の先端側の磁極と異なっている。ハブ本体１２７のＳ極１６１とＮ極１６２は、ハブ本体１２７の内腔１２６ａの径方向において、対向する。
【０１０７】
このような構成によれば、止血弁１４０の先端側および基端側に異なる磁極を設けることによって、ダイレーター２００の先端部２１１の磁極と止血弁１４０の周囲の磁極の位置関係を調整し、ダイレーター２００を止血弁１４０に挿通する際の操作性を向上させることができる。
【０１０８】
（改変例６）
図９（Ａ）（Ｂ）は、改変例６における、磁石１８６、およびハブ１２０の基端側をそれぞれ模式的に示す図である。
【０１０９】
改変例６は、改変例５と同様に磁石１８６を用いて磁極を持たせてあるが、磁石１８６の形状の点において、改変例５と相違する。止血弁１４０の保持構造の点は、改変例５と同様である。
【０１１０】
図９（Ａ）に示すように、改変例６の磁石１８６は、磁化方向を径方向にして着磁され、半径方向の内方側と外方側とにおいて磁極が異なる内外周単極のラジアルリング型の磁石１８６である。内方側がＳ極１６１、外方側がＮ極１６２である。
【０１１１】
この磁石１８６によれば、改変例５と同様に、キャップ部材１２８ｄに止血弁１４０を配置する必要はない。図９（Ｂ）に示すように、磁石１８６をキャップ部材１２８ｄに配置あるいは埋め込み、キャップ部材１２８ｄとハブ本体１２７との間に止血弁１４０を挟み込むようにして固定することができる。
【０１１２】
さらに、ハブ本体１２７には、止血弁１４０の先端側に位置して、内周面側が全周にわたって同一の磁極（Ｎ極１６２）を備える磁石１８７を配置あるいは埋め込んでいる。磁石１８７は、磁石１８６の磁極を反転し、内方側がＮ極１６２、外方側がＳ極１６１である内外周単極のラジアルリング型の磁石１８７である。
【０１１３】
改変例１と同様に、キャップ部材１２８ｄの内腔１２６ｂ側の磁極をＳ極１６１としてあるので、図示しないダイレーター２００の少なくとも先端側をＳ極１７１とする。
【０１１４】
改変例６においても、ダイレーター２００をイントロデューサー用シース１００に組み付けて使用するときに、キャップ部材１２８ｄの内腔１２６ｂ側の磁極（Ｓ極１６１）と、ダイレーター２００の先端側の磁極（Ｓ極１７１）との間に斥力Ｆｒが生じる。キャップ部材１２８ｄの内腔１２６ｂにダイレーター２００を挿入するとき、ダイレーター２００は、同極（Ｓ極１６１、１７１同士）の磁性の斥力Ｆｒによって、キャップ部材１２８ｄの内腔１２６ｂの中心付近を通るように自然とセンタリングされる。
【０１１５】
止血弁１４０にダイレーター本体２１０を挿通した後は、反対の極（Ｓ極１７１とＮ極１６２）の磁性の引力Ｆａによって、ダイレーター２００がキャップ部材１２８ｄの内腔１２６ｂからハブ本体１２７の内腔１２６ａへと吸い込まれていく。ダイレーター２００は、センタリングされながら送り込まれる。
【０１１６】
したがって、上述した実施形態と同様に、イントロデューサー組立体１０は、ダイレーター２００をイントロデューサー用シース１００に組み付けて使用するときに、止血弁１４０やダイレーター２００の先端部２１１の損傷を抑制しつつ、イントロデューサー用シース１００の止血弁１４０にダイレーター２００を容易に挿通することができる。
【０１１７】
以上説明したように、改変例６にあっては、改変例５と同様に、ハブ１２０は、ハブ本体１２７と、ハブ本体１２７との間で止血弁１４０を固定しつつハブ本体１２７に嵌合するキャップ部材１２８ｄと、を備える。キャップ部材１２８ｄの内腔１２６ｂ側の磁極は、ダイレーター２００の先端側の磁極と同じである。キャップ部材１２８ｄのＳ極１６１とＮ極１６２は、キャップ部材１２８ｄの内腔１２６ｂの径方向において、対向する。
【０１１８】
このように構成することによって、キャップ部材１２８ｄとハブ本体１２７との間に止血弁１４０を挟むため、簡単な構成によって、止血弁１４０の先端側および基端側の磁極を調整しやすくなる。また、キャップ部材１２８ｄの内腔１２６ｂ側の磁性を調整することによって、ハブ本体１２７との間に固定された止血弁１４０までダイレーター２００の先端部２１１の磁極と同じ磁極の領域を設け、止血弁１４０の挿通部１４１へのセンタリング効果をより適切に発揮させることができる。さらに、内腔１２６ｂの径方向に対応するようにＳ極１６１およびＮ極１６２を設けることによって、キャップ部材１２８ｄの内腔１２６ｂの磁極を調整しやすくなる。
【０１１９】
また、改変例６にあっては、キャップ部材１２８ｄは、内外周単極のラジアルリング型の１個の磁石１８６を有している。磁石１８６は、カテーテル本体１１０の軸方向に垂直な断面において、同じ磁極が対向する。
【０１２０】
このような磁石１８６を適用することによって、簡単に磁極の位置関係を調整して、上述した所定の効果を得ることが可能となる。
【０１２１】
さらに、改変例６にあっては、ハブ本体１２７の内腔１２６ａ側の磁極は、ダイレーター２００の先端側の磁極と異なっている。ハブ本体１２７のＳ極１６１とＮ極１６２は、ハブ本体１２７の内腔１２６ａの径方向において、対向する。
【０１２２】
このような構成によれば、止血弁１４０の先端側および基端側に異なる磁極を設けることによって、ダイレーター２００の先端部２１１の磁極と止血弁１４０の周囲の磁極の位置関係を調整し、ダイレーター２００を止血弁１４０に挿通する際の操作性を向上させることができる。
【０１２３】
以上、実施形態を通じて本発明に係るイントロデューサー組立体１０を説明したが、本発明は明細書内で説明した各構成のみに限定されるものでなく、特許請求の範囲の記載に基づいて適宜変更することが可能である。
【０１２４】
例えば、イントロデューサー用シース１００の具体的な構造、ダイレーター２００の具体的な構造は、図示により説明したものに限定されることはなく、イントロデューサーとしての機能を備え得る限りにおいて適宜変更することが可能である。
【符号の説明】
【０１２５】
１０      イントロデューサー組立体、
１００    イントロデューサー用シース、
１１０    カテーテル本体、
１１１    カテーテル本体の先端部、
１１３    カテーテル本体の基端部、
１１５    カテーテル本体の本体部、
１１６    中空部（イントロデューサー用シースの内腔）、
１２０    ハブ、
１２１    ハブの先端部、
１２３    ハブの基端部、
１２４    サイドポート、
１２６    ハブの内腔、
１２６ａ  ハブ本体の内腔、
１２６ｂ  キャップの内腔、キャップ部材の内腔
１２７    ハブ本体、
１２８    キャップ、
１２８ｄ  キャップ部材、
１３０    ストレインリリーフ部、
１４０    止血弁、
１６１    Ｓ極（ハブの磁極）、
１６２    Ｎ極（ハブの磁極）、
１７１    Ｓ極（ダイレーターの磁極）、
１７２    Ｎ極（ダイレーターの磁極）、
１８１    磁石、
１８２    磁石、
１８３    磁石アセンブリ、
１８４    磁石、
１８５    磁石アセンブリ、
１８６    磁石、
１８７    磁石、
２００    ダイレーター、
２１０    ダイレーター本体、
２１１    ダイレーターの先端部、
２２０    ダイレーターハブ。
【図１】
2018050710.tif 000003
【図２】
2018050710.tif 000004
【図３】
2018050710.tif 000005
【図４】
2018050710.tif 000006
【図５】
2018050710.tif 000007
【図６】
2018050710.tif 000008
【図７】
2018050710.tif 000009
【図８】
2018050710.tif 000010
【図９】
2018050710.tif 000011